(57)【要約】【課題】背広やドレス等の衣類を収納するためのスーツ収納具、小物を収納するための仕切幕、収納した衣類などを固定するためのベルトを取り外し、顧客の要望応じこれらを取付けるための金具のみを備えた軽量スーツケースの提供を目的とする。【解決手段】（１）箱体と蓋体とが開閉自在に連設されたスーツケースにおいて、仕切幕及びベルトを脱着自在に取付けるための仕切幕用金具及びベルト用金具を前記箱体乃至蓋体の内壁面に装着したことを特徴とするスーツケース。（２）（１）のスーツケースに更にスーツ収納具を取付けるためのスーツ収納用金具を追加したことを特徴とするスーツケース。【選択図】      図２
2007185407.tif 000002
【特許請求の範囲】
【請求項１】
箱体と蓋体とが開閉自在に連設されたスーツケースにおいて、仕切幕及びベルトを脱着自在に取付けるための仕切幕用金具及びベルト用金具を前記箱体乃至蓋体の内壁面に装着したことを特徴とするスーツケース。
【請求項２】
請求項１のスーツケースにおいて、スーツ収納具を脱着自在に取付けるためのスーツ収納用金具を前記箱体乃至蓋体の内壁面に装着したことを特徴とするスーツケース。
【請求項３】
請求項１、２のスーツケースにおいて、箱体乃至蓋体に把手を付けたことを特徴とするスーツケース。
【請求項４】
請求項１、２のスーツケースにおいて、箱体乃至蓋体に伸縮自在の把手を付けたことを特徴とするスーツケース。
【請求項５】
請求項１、２のスーツケースにおいて、箱体乃至蓋体に脚輪を付けたことを特徴とするスーツケース。
【請求項６】
請求項１〜５のスーツケースに、仕切幕を付けるための仕切幕用金具を介して仕切幕を付けたことを特徴とするスーツケース。
【請求項７】
請求項１〜５のスーツケースに、スーツ収納具を付けるためのスーツ収納用金具を介してスーツ収納具を付けたことを特徴とするスーツケース。
【請求項８】
請求項１〜５のスーツケースに、ベルトを付けるためのベルト用金具を介してベルトを付けたことを特徴とするスーツケース。
【発明の詳細な説明】
【技術分野】
【０００１】
本発明は、スーツケースに関し、詳しくは、箱体と蓋体とが蝶番を介して開閉自在に連設されたスーツケースにおいて、仕切幕及びベルトを脱着自在に取付けるための仕切幕用金具及びベルト用金具を前記箱体乃至蓋体の内壁面に装着したことを特徴とするスーツケースに関する。
【背景技術】
【０００２】
スーツケースは、スーツ等の衣服を入れて持ち運ぶことが可能な容器であって、一般に、硬質の合成樹脂製で形成された殻状の箱体と、同様に形成された蓋体とが、多くの場合蝶番を介して開閉可能に連設され、箱体と蓋体とを施錠するように構成されている。
【０００３】
通常、スーツケースの中に収納された衣類等の動きを抑えるために、ベルト等により箱体に詰めた衣類等を押さえ、小物の衣類等を収納するポケットを備えることが行われている。
【０００４】
効率的にスーツケースの中に収納可能とするため、収納仕切幕にファスナーを固定させたり、仕切幕を分割したりすることも行われている（特許文献１）。しかし毛糸の編物からなるセーター等の場合、編物がファスナーに絡み付き、編地を傷つけるなどの問題点がある。
また収納する衣類などの型くずれを防止するため、スーツケースの中に、膨張・収縮自在な空気袋を備え、膨らんだ空気袋によって収容物を押さえて位置ずれを防止するようにした提案もなされている（特許文献２）。しかし、空気袋を別途準備しておく必要がある。
【０００５】
【特許文献１】特開２００２−２８０１９
【特許文献２】特開平９−２３８７２７号公報
【発明の開示】
【発明が解決しようとする課題】
【０００６】
しかしながら、従来のスーツケースには  、次のような問題点がある。
【０００７】
即ち、従来のスーツケースの問題点は、前記の衣類の移動を抑えるためのベルト等や、仕切幕等に関する要求は顧客により異なり、全ての顧客の要求を満足させることは極めて困難である。また個人によっては、ベルトや仕切幕を要求しない場合もある。
【０００８】
そこで、本発明のスーツケースは、このような従来の抱える問題点を解決するためになされたもので、背広やドレス等の衣類を収納するためのスーツ収納具、内容物区分するための仕切幕、収納した衣類などを固定するためのベルトを全て取り外し、顧客の要望応じ、新らたに仕切幕を取付けるための仕切幕用金具、スーツ収納具を取付けるためのスーツ収納用金具、及びベルトを取付けるためのベルト用金具を前記箱体乃至蓋体の内壁面に装着して、顧客の要望応じ、スーツ収納具、ベルト、仕切幕を取付け可能とした軽量のスーツケースを提供することを目的としている。
【課題を解決するための手段】
【０００９】
上記目的を達成するためになされ以下の特徴を有する。
（１）箱体と蓋体とが開閉自在に連設されたスーツケースにおいて、仕切幕及びベルトを脱着自在に取付けるための仕切幕用金具及びベルト用金具を前記箱体乃至蓋体の内壁面に装着したことを特徴とする
（２）  （１）のスーツケースにおいて、スーツ収納具を脱着自在に取付けるためのスーツ収納用金具を前記箱体乃至蓋体の内壁面に装着したことを特徴とする
（３）  （１）、（２）のスーツケースにおいて、箱体乃至蓋体に把手を付けたことを特徴とする、
（４）  （１）、（２）のスーツケースにおいて、箱体乃至蓋体に伸縮自在の把手を付けたことを特徴とする、
（５）  （１）、（２）のスーツケースにおいて、箱体乃至蓋体に脚輪を付けたことを特徴とする、
（６）  （１）〜（５）のスーツケースに、仕切幕を付けたるための金具を介して仕切幕を付けたことを特徴とする、
（７）  （１）〜（５）のスーツケースに、スーツ収納具を付けたるためのスーツ収納用金具を介してスーツ収納具を付けたことを特徴とする、
（８）  （１）〜（５）のスーツケースに、ベルトを付けたるためのベルト用金具を介してベルトを付けたことを特徴とする。
【００１０】
本発明において、仕切幕とは、スーツケース入れる内容物を区分するため使用され、多くの場合、布が用いられ、ポケットが設けられている場合もある。
また本発明でいうスーツ収納具とは、スーツをハンガー等に掛けスーツを開閉自在の袋に収容可能な用具をいう。
仕切幕と仕切幕用金具、ベルトとベルト収納用金具及びスーツ収納具とスーツ収納用金具の連結方法としては取付金具を利用する従来公知の方法を利用できる。また仕切幕の取付け方法としては、布地にポケットを作成しておき、ポケットの付いた布地を仕切幕として用い、仕切幕用金具を介してスーツケースの箱体及び蓋体に取付ける方法がある。
【発明の効果】
【００１１】
（１）背広やドレス等の衣類を収納するためのスーツ収納具、小物を収納するための仕切幕、収納した衣類などを固定するためのベルトを取り外しているため、軽量化を図ることが可能であり、使用者にとって軽いため持ち運びやすく便利であるのみならず、航空機など重量の制限のある手荷物容器としても有利である。
（２）スーツケースには、スーツ収納用金具、仕切幕用金具、ベルト用金具を残しているため、顧客の要望応じ、これらを取付けることが可能である。
【発明を実施するための最良の形態】
【００１２】
本発明の実施の形態を、添付図面に例示した本発明の実施例に基づいて以下に具体的に説明する。
【実施例】
【００１３】
先ず、本発明の実施例について、図１〜図８を参照しながら説明する。
図１は、本実施例に係わる、スーツケースの外観斜視図である。
図２は、同上、仕切幕を取付けるための仕切幕用金具、スーツ収納具を取付けるためのスーツ用金具、及びベルトを取付けるためのベルト用金具を前記箱体乃至蓋体の内壁面に装着した、スーツケース内部を示す斜視図である。
図３は、図２に示したスーツケースに仕切幕及びベルトを取付けた、スーツケース内部の空間を示す斜視図である。
図４は、同上、ベルトのバックルの結びを離した状態のスーツケースの箱体側空間を示す斜視図である。
図５は、同上、図２に示したスーツケースにスーツ収納具を取付け拡開した状態の斜視図である。
図６は、同上、ベルト取付け状況を示す拡大斜視図である。
図７は、同上、仕切幕取付け前の断面図である。図８は、同上、仕切幕取付け後の断面図である。
【００１４】
スーツケースは、基本的には背広を入れることができる程度の大きさである。図１に示すように、スーツケース１００は、箱体１と蓋体２とが蝶番（図示なし）を介して開閉可能に設けられ、ロック体１０３により閉じる。箱体１と蓋体２とが閉じた状態では、側面に把手１０１と把手１０２を備える。また、図１に示すように、スーツケース１００を縦長に立てて使用する場合は、把手１０１を掴んで下方の側面に備える脚輪１０４により転がす。スーツケース１００を横長にして使用する場合は、把手１０２を掴む。また必要に応じ伸縮自在把手１０５を用い、脚輪１０４により転がすこともできる。
【００１５】
図２に、仕切幕及びベルトを脱着自在に取付けるための仕切幕用金具及びベルト用金具を前記箱体乃至蓋体の内壁面に装着したスーツケースの内部を示す。箱体１側の箱体空間３と蓋体２側の蓋体空間４とに二つに区分される。箱体空間３には仕切幕用金具３１１、ベルト用Ｊ型金具３２１１及びスーツ収納用金具３９が取付けられている。
一方の蓋体空間４は、仕切幕用金具４１１、ベルト用金具４２１が取付けられている。
【００１６】
図３は、図２に示したスーツケースに仕切幕及びベルトを取付けた、スーツケース内部の空間を示す斜視図である。
箱体１側の箱体空間３と蓋体２側の蓋体空間４とに二つに区分される。箱体空間３は、深さ方向に仕切幕３１が占め、この上をベルト３２が交差している。このベルト３２が中央でＸ字状に交差した部位には、収納される衣類等の量によって上からの押さえを調整するバックル３３を備え、ベルト３２の他方端は、箱体１の内周壁の四箇所に設けられた仕切幕用金具により固定されている。
【００１７】
一方の蓋体空間４は、図３に示す様に、深さ方向に全面を仕切幕４１が占め、この上をベルト４２が交差している。このベルト４２が中央でＸ字状に交差した部位には、仕切幕４１に収納される衣類等の量によって上からの押さえを調整するバックル４３を備え、ベルト４２の他方端は、蓋体空間４の内周壁の四箇所に設けられた仕切幕用金具により固定されている。また、仕切幕ト４１の上部には、仕切幕ジッパー４４を備え、開け閉めを可能にする。
【００１８】
以上のように、スーツケース１００は構成されるが、その他に、スーツ収納具を取付けることが可能である。これについて説明する。
図４には、仕切幕３１の上を交差するベルト３２のバックル３３を解除した状態を示す。仕切幕３１の上又は下に、スーツ収納具５を取付けることが可能である。
図５は、内周壁に備えるスーツ収納用金具３５にハンガー６を介してスーツ収納具５を取付けた状態を示す。スーツ収納具５は、折りたたんで収納することが可能であり、背広等の大形の衣類を収納することができる。
【００１９】
図６は、本発明における、ベルト取付け状況を示す拡大斜視図である。ベルト用Ｊ型金具３２１１と、ベルト用中あき四角金具３２１２を用いて接合が行われている。
図７は、同上、仕切幕取付け前の断面図である。図８は、同上、仕切幕取付け後の断面図である。仕切幕金具凸型４１１１と仕切幕金具凹型４１１２を用い接合が行われている。
【００２０】
本発明のスーツケースは、以上のように構成される。次に作用について説明する。
旅行等で衣料などをスーツケースで持ち運ぶ時、比較的皺になり難い衣料を持ち運ぶ場合、皺になり難いスーツケース収納具に収納するまでもない。また、櫛、鏡などの小物を別途用意して収納している場合、格別小物を収納するためスーツケースに仕切幕を設けることは不要となる。つまり、多くの場合、これらスーツケース収納具、仕切幕等は不要であり、必要に応じ追加すれば良いことになる。本発明におけるスーツケースはかかる追加が容易である。
【００２１】
スーツケースの外郭は、例えば強固なアルミ合金である。そして、その外周は硬質の合成樹脂、例えばＡＢＳ樹脂により被覆されている。いずれも、ケースの中の物を損傷から保護する構造体として、あるいはぶつかり等の衝撃にも耐える材料として強度上優れたものである。また、軽量化に寄与する材料である。
【００２２】
尚、スーツケース内の仕切幕を脱着する方法、ベルトの脱着方法、スーツ収納具の脱着方法としては、ボタンを利用する方法等、従来公知の手段によることができる。
【産業上の利用可能性】
【００２３】
本発明のスーツケースは、箱体及び蓋体をプラスチックスで作成されているハードサイド鞄の他に、箱体及び蓋体を布や皮、人工皮革作成されているソフトサイド鞄にも適用できる。
【図面の簡単な説明】
【００２４】
【図１】本発明の実施例に係わる、スーツケースの外観斜視図である。
【図２】同上、仕切幕を取付けるための仕切幕用金具、スーツ収納具を取付けるためのスーツ用金具、及びベルトを取付けるためのベルト用金具を前記箱体乃至蓋体の内壁面に装着した、スーツケース内部の空間を示す斜視図である。
【図３】同上、図２に示したスーツケースに仕切幕及びベルトを取付けた、スーツケース内部の空間を示す斜視図である。
【図４】同上、ベルトのバックルの結びを離した状態のスーツケースの箱体側空間を示す斜視図である。
【図５】同上、図２に示したスーツケースにスーツ収納具を取付け拡開した状態の斜視図である。
【図６】同上、ベルト取付け状況を示す拡大斜視図である。
【図７】同上、仕切幕取付け前の断面図である。
【図８】同上、仕切幕取付け後の断面図である。
【符号の説明】
【００２５】
１００  スーツケース
１０１、１０２  把手
１０３  ロック体
１０４  脚輪
１０５  伸縮自在把手
１  箱体
２  蓋体
３  箱体空間
３１  仕切幕
３１１  仕切幕用金具
３２  ベルト
３２１  ベルト用金具
３２１１  ベルト用Ｊ型金具
３２１２  ベルト用中あき四角金具
３３  バックル
３４  仕切幕ジッパー
３５  スーツ収納用金具
４    蓋体空間
４１  仕切幕
４１１  仕切幕用金具
４１１１  仕切幕用金具凸型
４１１２  仕切幕用金具凹型
４２  ベルト
４２１  ベルト用金具
４３  バックル
４４  仕切幕ジッパー
５  スーツ収納具
５１  仕切幕ジッパー
６    ハンガー
７    舌片
【図１】
2007185407.tif 000003
【図２】
2007185407.tif 000004
【図３】
2007185407.tif 000005
【図４】
2007185407.tif 000006
【図５】
2007185407.tif 000007
【図６】
2007185407.tif 000008
【図７】
2007185407.tif 000009
【図８】
2007185407.tif 000010
【手続補正書】
【提出日】平成18年2月13日(2006.2.13)
【手続補正１】
【補正対象書類名】明細書
【補正対象項目名】００１０
【補正方法】変更
【補正の内容】
【００１０】
本発明において、仕切幕とは、スーツケースに入れる内容物を区分するため使用され、多くの場合、布が用いられ、ポケットが設けられている場合もある。
また本発明でいうスーツ収納具とは、スーツをハンガー等に掛けスーツを開閉自在の袋に収容可能な用具をいう。
仕切幕と仕切幕用金具、ベルトとベルト収納用金具及びスーツ収納具とスーツ収納用金具の連結方法としては取付金具を利用する従来公知の方法を利用できる。また仕切幕の取付け方法としては、布地にポケットを作成しておき、ポケットの付いた布地を仕切幕として用い、仕切幕用金具を介してスーツケースの箱体及び蓋体に取付ける方法がある。
【手続補正２】
【補正対象書類名】明細書
【補正対象項目名】００１５
【補正方法】変更
【補正の内容】
【００１５】
図２に、仕切幕及びベルトを脱着自在に取付けるための仕切幕用金具及びベルト用金具を前記箱体乃至蓋体の内壁面に装着したスーツケースの内部を示す。箱体１側の箱体空間３と蓋体２側の蓋体空間４とに二つに区分される。箱体空間３には仕切幕用金具３１１、ベルト用Ｊ型金具３２１１及びスーツ収納用金具３５が取付けられている。
一方の蓋体空間４は、仕切幕用金具４１１、ベルト用金具４２１が取付けられている。